(57)【要約】【課題】無線通信装置１で、適応変調テーブル（通信品質と変調方式及び誤り訂正の符号化率との対応）を効果的に更新して、最適な変調方式を選択する。【解決手段】対応記憶手段１９が複数の速度のそれぞれについて対応を記憶し、送信手段２０、２１、１１〜１４が通信相手となる装置に対して信号を無線送信し、受信手段１３〜１５が当該装置から受信成否の情報及び通信品質に関する情報を含む信号を受信し、対応内容更新手段１８が受信成否検出手段１５による受信成否の情報に基づいて対応の内容を更新し、通信品質変化検出手段１７が通信品質検出手段１６による通信品質に関する情報の時間的な変化の度合いを検出し、更新対象選択手段１７が当該時間的な変化の度合いに応じた速度についての対応を更新の対象とする。【選択図】  図１
2010074365.tif 000002
【特許請求の範囲】
【請求項１】
通信相手となる装置に対して信号を無線により送信し、前記通信相手となる装置から無線により送信された前記信号の受信成否の情報及び前記信号の通信品質に関する情報を含む信号を受信する無線通信装置において、
複数の速度のそれぞれについて、通信品質と変調方式及び誤り訂正の符号化率との対応を記憶する対応記憶手段と、
前記対応記憶手段に記憶された対応に基づいて決定される変調方式及び誤り訂正の符号化率を用いて、前記通信相手となる装置に対して信号を無線により送信する送信手段と、
前記通信相手となる装置から無線により送信された前記受信成否の情報及び前記通信品質に関する情報を含む信号を受信する受信手段と、
前記受信手段により受信された信号に含まれる前記受信成否の情報を検出する受信成否検出手段と、
前記受信成否検出手段により検出された受信成否の情報に基づいて前記対応記憶手段に記憶された対応の内容を更新する対応内容更新手段と、
前記受信手段により受信された信号に含まれる前記通信品質に関する情報を検出する通信品質検出手段と、
前記通信品質検出手段により検出された通信品質に関する情報の時間的な変化の度合いを検出する通信品質変化検出手段と、
前記対応記憶手段に記憶された複数の速度についての対応の中で、前記通信品質変化検出手段により検出された通信品質に関する情報の時間的な変化の度合いに応じた速度についての対応を前記対応内容更新手段による更新の対象とする更新対象選択手段と、
を備えたことを特徴とする無線通信装置。
【発明の詳細な説明】
【技術分野】
【０００１】
本発明は、無線通信装置に関し、特に、適応変調テーブルを効果的に更新して、最適な変調方式を選択する無線通信装置に関する。
【背景技術】
【０００２】
デジタル変復調を使用した無線通信システムにおいては、従来の第２世代の携帯電話に代表される音声通信を主とした通信よりも無線通信に特有な回線品質が変動するような環境において、伝送に要する時間遅延を許容しても前記回線品質の変動を補完するような処理方式により高信頼性を確保しつつ高速なデータ通信を実現する要求が高まっている。これらの要求に対して第３世代或いは検討中である第４世代の無線通信システムでは、高信頼性且つ高スループットの通信を維持するために、伝搬路（伝播路）の状況に応じて多値変調方式や誤り訂正符号化率を切り換える適応変調方式が採用又は検討されている。
【０００３】
多値変調方式と誤り訂正（ＦＥＣ：Ｆｏｒｗａｒｄ  Ｅｒｒｏｒ  Ｃｏｒｒｅｃｔｉｏｎ）方式の組み合わせ（以下、ＭＣＳ（Ｍｏｄｕｌａｔｉｏｎ  ａｎｄ  Ｃｏｄｉｎｇ  Ｓｃｈｅｍｅ）と言う）と、その誤り率をＣＩＮＲ（Ｃａｒｒｉｅｒ  ｔｏ  Ｉｎｔｅｒｆｅｒｅｎｃｅ  ｐｌｕｓ  Ｎｏｉｓｅ．  Ｒａｔｉｏ）対ＢＥＲ（Ｂｉｔ  Ｅｒｒｏｒ  Ｒａｔｅ）で表した場合に、無線伝搬路のＣＩＮＲ値を通信品質として検出する手段があれば、その回線状況での誤り率を推定することができる。
【０００４】
そして、検出したＣＩＮＲ値において所要のＦＥＣ単位のブロック誤り率以下を満足しつつ、最大限の伝送速度を得られる変調方式と符号化方式及び符号化率を選択することにより、最大の伝送効率で情報通信することが可能となる。このように、通信品質を検出して通信中に動的に変調方式や符号化率を切り替える適応変調符号化（ＡＭＣ：Ａｄａｐｔｉｖｅ  Ｍｏｄｕｌａｔｉｏｎ  ａｎｄ  Ｃｏｄｉｎｇ）が、従来から様々な通信システムで適用されている。
【０００５】
図６には、従来例に係る適応変調送受信部の構成例を示してある。
具体的には、基地局装置に相当する無線送受信装置１０１と、移動局装置に相当する無線送受信装置１０２を示してある。
基地局装置に相当する無線送受信装置１０１において、適応変調部１１１は、送信すべき送信データを入力し、ＭＣＳ選択部１１８により指定されたＡＭＣに従ってサブキャリア毎の一次変調信号を出力する。ここで、一次変調信号の一部にＭＣＳの情報を含めて送信する。ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調部１１２は、逆ＦＦＴ（Ｉｎｖｅｒｓｅ  Ｆａｓｔ  Ｆｏｕｒｉｅｒ  Ｔｒａｎｓｆｏｒｍ）により周波数信号から時間軸信号への直交変換を行いベースバンド信号とする。ＲＦ部１１３は、無線周波数信号へ変換して、アンテナ１１４から空間へ出力する。
【０００６】
移動局装置に相当する無線送受信装置１０２において、アンテナ１２１により無線周波数信号を受信する。ＲＦ（Ｒａｄｉｏ  Ｆｒｅｑｕｅｎｃｙ）部１２２は、ベースバンド信号へ変換する。ＯＦＤＭ復調部１２３は、ＦＦＴによりサブキャリア毎の受信変調信号を得る。受信ＭＣＳ検出部１２５は、この受信変調信号に含まれているＭＣＳ情報を検出して、適応復調部１２４へＭＣＳ情報を通知する。適応復調部１２４は、通知されたＭＣＳ情報に基づいて復調を行い、受信データを出力するとともに、受信エラーを検出して、変調部１２７へＡＣＫ／ＮＡＣＫ情報を出力する。
【０００７】
通信品質検出部１２６は、受信変調信号の品質を測定し、基地局装置から移動局装置へのＤＬ（ダウンリンク）の通信品質情報を変調部１２７へ通知する。変調部１２７は、通知された通信品質情報、前述のＡＣＫ／ＮＡＣＫ情報、移動局装置から基地局装置へのＵＬ（アップリンク）の送信データを一次変調して、サブキャリア毎の一次変調信号を出力する。ＯＦＤＭ変調部１２８は、逆ＦＦＴにより周波数信号から時間軸信号への直交変換を行いベースバンド信号とする。ＲＦ部１２２は、無線周波数信号へ変換して、アンテナ１２１からＵＬで送信出力する。
【０００８】
このＵＬ送信信号は、アンテナ１１４、ＲＦ部１１３、ＯＦＤＭ復調部１１５を経て、上り受信サブキャリア信号へ変換され、ＯＦＤＭ復調部１１５によりＦＦＴによってデータの復調及びＡＣＫ／ＮＡＣＫ情報の復調を行う。通信品質検出部１１６は、移動局装置により検出したこのＤＬの通信品質情報を検出し、ＭＣＳ選択部１１８へ通知する。ＭＣＳ選択部１１８は、通信品質情報をインデックス（例えば、ＣＱＩ（Ｃｈａｎｎｅｌ  Ｑｕａｌｉｔｙ  Ｉｎｄｉｃａｔｏｒ）に相当するもの）として適応変調テーブル１１７の該当するＣＱＩ（又は、ＣＩＮＲ）値からＭＣＳを選択して、適応変調部１１１へ通知する。
【０００９】
上記した一連の処理をフレーム毎に実行することにより、伝搬路の変動に追従して最適なＭＣＳに基づいた適応変調動作が実施される。
具体例としては、適応変調テーブル１１７では、ＵＬでＭＳ（移動局装置）からＢＳ（基地局装置）が受け取ったＤＬ伝搬路のＣＩＮＲ値が１０ｄＢであった場合には、当該適応変調テーブル１１７のＣＩＮＲ値が１０ｄＢであるところに対応する欄から、変調方式が１６ＱＡＭ（Ｑｕａｄｒａｔｕｒｅ  Ａｍｐｌｉｔｕｄｅ  Ｍｏｄｕｌａｔｉｏｎ）で符号化率が１／２である組み合わせを選択して、これを、次にＭＳへ送信するＤＬのＭＣＳとする。
なお、実際のシステムでは、１つの基地局装置で複数の移動局装置への通信を実施するため、ＭＣＳ選択部１１８及び通信品質検出部１１６を複数備える必要がある。
【００１０】
【特許文献１】特開２００５−２３６７０９号公報
【特許文献２】特開２００４−１０４１９６号公報
【発明の開示】
【発明が解決しようとする課題】
【００１１】
しかしながら、上述した従来例については、次のような問題があった。
すなわち、通信品質検出部１２６がＤＬの伝搬路の品質を検出するフレームと、ＭＣＳ選択部１１８がＭＣＳを選択するフレームに時刻差（制御遅延）が存在し、この時間差の間における伝搬路の変動により、特に伝搬路が劣化した場合には受信ブロックのエラーが発生し、そのフレームのデータが送信エラーとなってしまうという問題があった。
また、時刻差の要因によらなくとも、伝搬路が劣悪である場合には、ＭＣＳ選択部１１８の適応変調テーブル１１７そのものが劣悪な伝搬路に対応していないことや、設置される地理的、伝搬状況の違いにより、端末の受信機に入力する信号が同じＣＩＮＲであっても受信特性にばらつきが発生する場合があるという問題があった。
【００１２】
この対策として、適応変調テーブル１１７で選択するＭＣＳの値（変復調方式・符号化方式の組み合わせ）にマージンを持たせる（つまり、検出したＣＩＮＲ値に対して誤り耐力の高いＭＣＳの値を選択する）ことにより受信エラーレートを改善することが可能であるが、マージンを大きく取ると変復調の多値数及び符号化率が低いＭＣＳが選択されて送信情報レートが下がることになり、伝搬路の状況や端末の受信特性に応じて最適な送信エラーレートが得られる（ある程度の送信エラーを許容してもＭＣＳレベルを上げることにより全体としてのスループットが向上する可能性があるため）マージン量を最適に制御することが必要である。このため、伝搬路の特徴（例えば、マルチパス状況やフェージング速度等）や端末の固体差等により最適な適応変調テーブル１１７は変わる可能性があり、ＭＣＳの更新毎に最適なＭＣＳを選択するように適応変調テーブル１１７を調整することが求められる。
【００１３】
上記した伝搬路の特徴による変動で特に影響が大きい要因の一つとしてフェージング速度があり、フェージング速度が速いか遅い（又は、静止）か又はその変動により、適応変調テーブル１１７で最適なＭＣＳの選択ができないことがスループットの低下等の性能の劣化になることが多い。
【００１４】
本発明は、このような従来の事情に鑑み為されたもので、例えば、受信伝搬路状況、特にフェージング等について、移動している端末との通信に対して適応的に最適なスループットを得られるように適応変調テーブルを得ることができる更新方法を実現して、最適な変調方式を選択することができる無線通信装置（例えば、適応変調方式の送受信機）を提供することを目的とする。
【課題を解決するための手段】
【００１５】
上記目的を達成するため、本発明では、通信相手となる装置に対して信号を無線により送信し、前記通信相手となる装置から無線により送信された前記信号の受信成否の情報及び前記信号の通信品質に関する情報を含む信号を受信する無線通信装置において、次のような構成とした。
すなわち、対応記憶手段が、複数の速度のそれぞれについて、通信品質と変調方式及び誤り訂正の符号化率との対応を記憶する。送信手段が、前記対応記憶手段に記憶された対応に基づいて決定される変調方式及び誤り訂正の符号化率を用いて、前記通信相手となる装置に対して信号を無線により送信する。受信手段が、前記通信相手となる装置から無線により送信された前記受信成否の情報及び前記通信品質に関する情報を含む信号を受信する。受信成否検出手段が、前記受信手段により受信された信号に含まれる前記受信成否の情報を検出する。対応内容更新手段が、前記受信成否検出手段により検出された受信成否の情報に基づいて、前記対応記憶手段に記憶された対応の内容を更新する。通信品質検出手段が、前記受信手段により受信された信号に含まれる前記通信品質に関する情報を検出する。通信品質変化検出手段が、前記通信品質検出手段により検出された通信品質に関する情報の時間的な変化の度合いを検出する。更新対象選択手段が、前記対応記憶手段に記憶された複数の速度についての対応の中で、前記通信品質変化検出手段により検出された通信品質に関する情報の時間的な変化の度合いに応じた速度についての対応を前記対応内容更新手段による更新の対象とする。
【００１６】
従って、複数の速度のそれぞれについて通信品質と変調方式及び誤り訂正の符号化率との対応を記憶する構成において、通信相手となる装置への信号の通信品質に関する情報の時間的な変化の度合いに応じた速度についての対応（前記した通信品質と変調方式及び誤り訂正の符号化率との対応）を更新の対象とすることにより、例えば、受信伝搬路状況、特にフェージング等について、移動している端末（ここでは、前記した通信相手となる装置）との通信に対して適応的に最適なスループットを得られるように適応変調テーブル（ここでは、前記した通信品質と変調方式及び誤り訂正の符号化率との対応）を得ることができる更新方法を実現して、最適な変調方式を選択することができる無線通信装置（例えば、適応変調方式の送受信機）を実現することができる。
【００１７】
ここで、無線通信装置としては、種々なものが用いられてもよく、例えば、基地局装置を用いることができる。
また、通信相手となる装置としては、種々なものが用いられてもよく、例えば、移動局装置を用いることができる。
また、信号の受信成否の情報としては、種々なものが用いられてもよく、例えば、誤り訂正を考慮して、ＡＣＫ（受信が成功したことを示すもの）及びＮＡＣＫ（受信が失敗したことを示すもの）の情報を用いることができる。
また、信号の通信品質に関する情報としては、種々なものが用いられてもよく、例えば、ＣＩＮＲやＣＱＩを用いることができる。
【００１８】
また、対応記憶手段としては、例えば、メモリを用いて構成することができる。
また、通信品質と変調方式及び誤り訂正の符号化率（ＭＣＳ）との対応における通信品質としては、種々なものが用いられてもよく、例えば、段階的な幅（範囲）を有するものが用いられてもよい。
また、変調方式としては、例えば、デジタルの多値変調方式を用いることができる。
また、複数の速度のそれぞれについての対応が設けられる場合における当該複数としては、種々な数が用いられてもよい。
また、対応としては、例えば、テーブルを用いて規定することができる。
【００１９】
また、通信品質に関する情報の時間的な変化の度合いを検出する手法としては、種々なものが用いられてもよく、例えば、移動速度（差分）を検出する手法や、或いは、フィルタリングを行う手法などを用いることができる。
また、通信品質に関する情報の時間的な変化の度合いとそれに応じた速度との対応の関係としては、例えば、予め装置に設定されてメモリに記憶されており、一例として、通信品質に関する情報の時間的な変化の度合いについて１つ以上の閾値を設けて、当該時間的な変化の度合いの値と当該閾値との大小関係に基づいて対応する速度を決定する構成を用いることができる。
【００２０】
また、複数の速度についての対応（前記した通信品質と変調方式及び誤り訂正の符号化率との対応）の中で、いずれの対応を用いて信号送信を行うかを決定するタイミングとしては、種々なタイミングが用いられてもよく、例えば、通信相手となる装置と新規に通信を開始するときのタイミングや、或いは、所定の期間が経過する毎のタイミングなどを用いることができる。
また、前記した通信品質と変調方式及び誤り訂正の符号化率との対応における当該通信品質としては、一例として、通信相手となる装置から通知された通信品質に関する情報に基づくものを用いることができる。
【００２１】
また、複数の速度についての対応の中から更新の対象とする対応（前記した通信品質と変調方式及び誤り訂正の符号化率との対応）を選択するタイミングとしては、種々なタイミングが用いられてもよく、例えば、通信相手となる装置と新規に通信を開始するときのタイミングや、或いは、所定の期間が経過する毎のタイミングや、或いは、常時のタイミングなどを用いることができる。
また、ある対応（前記した通信品質と変調方式及び誤り訂正の符号化率との対応）を更新し続ける時間の長さとしては、種々な時間の長さが用いられてもよく、例えば、予め設定された一定の時間の長さが用いられてもよく、或いは、特に時間の制限はなく、更新の必要が発生したときにはいつでも更新するような態様が用いられてもよい。
【発明の効果】
【００２２】
以上説明したように、本発明によると、例えば、受信伝搬路状況、特にフェージング等について、移動している端末との通信に対して適応的に最適なスループットを得られるように適応変調テーブルを得ることができる更新方法を実現して、最適な変調方式を選択することができる無線通信装置（例えば、適応変調方式の送受信機）を実現することができる。
【発明を実施するための最良の形態】
【００２３】
本発明に係る実施例を図面を参照して説明する。
図１には、本発明の一実施例に係る適応変調送受信部の構成例として、基地局装置に相当する無線送受信装置１の構成例を示してある。
ここで、本例では、移動局装置に相当する無線送受信装置の構成や動作については、例えば、図６に示される移動局装置に相当する無線送受信装置１０２の構成や動作と同様であり、説明の便宜上から、図６に示されるのと同じ符号を用いて説明する。
【００２４】
本例の基地局装置に相当する無線送受信装置１は、適応変調部１１と、ＯＦＤＭ変調部１２と、ＲＦ部１３と、アンテナ１４と、ＯＦＤＭ復調部１５と、通信品質検出部１６と、高速／低速判定及びテーブル選択部１７と、テーブル更新部１８と、適応変調テーブル部１９と、ＭＣＳ選択部２０と、ＭＡＰ生成部２１を備えている。
【００２５】
まず、本例の基地局装置に相当する無線送受信装置１において行われる送信の動作の一例を示す。
送信対象となるデータ（送信データ）がＭＡＰ生成部２１に入力される。
ＭＡＰ生成部２１は、入力された送信データをサブキャリアにマッピングして、その結果のデータを適応変調部１１へ出力する。
適応変調部１１は、ＭＡＰ生成部２１から入力されたデータについて変調を行い、当該ＭＡＰ生成部２１により割り付けられたサブキャリア毎の一次変調信号を生成してＯＦＤＭ変調部１２へ出力する。
【００２６】
ここで、本例では、適応変調部１１は、ＭＣＳ選択部２０により指定されたＡＭＣに従って、サブキャリア毎の一次変調信号を生成し、この場合に、当該一次変調信号の一部にＭＣＳの情報を含める。
【００２７】
ＯＦＤＭ変調部１２は、適応変調部１１から入力されたサブキャリア毎の一次変調信号について、逆ＦＦＴにより周波数信号から時間軸信号への直交変換を行い、これにより生成したベースバンド信号をＲＦ部１３へ出力する。
ＲＦ部１３は、ＯＦＤＭ変調部１２から入力された信号を無線周波数の信号へ変換してアンテナ１４へ出力する。この信号が、ＤＬで、アンテナ１４から空間へ出力（無線送信）される。
【００２８】
次に、移動局装置に相当する無線送受信装置１０２において行われる受信及び送信の動作の一例を示す。
本例の基地局装置に相当する無線送受信装置１から無線送信された無線周波数信号が、アンテナ１２１により受信されて、ＲＦ部１２２に入力される。
ＲＦ部１２２は、入力された受信信号をベースバンド信号へ変換して、ＯＦＤＭ復調部１２３へ出力する。
ＯＦＤＭ復調部１２３は、ＲＦ部１２２から入力された受信信号について、ＦＦＴによりサブキャリア毎の受信変調信号（前記した一次変調信号に相当するもの）を得て、適応復調部１２４と受信ＭＣＳ検出部１２５と通信品質検出部１２６へ出力する。
【００２９】
受信ＭＣＳ検出部１２５は、ＯＦＤＭ復調部１２３から入力された受信変調信号に含まれているＭＣＳ情報を検出して、当該ＭＣＳ情報を適応復調部１２４へ通知する。
適応復調部１２４は、受信ＭＣＳ検出部１２５から通知されたＭＣＳ情報に基づいて、ＯＦＤＭ復調部１２３から入力されたサブキャリア毎の受信変調信号について復調を行い、これにより得られた受信データを出力するとともに、受信エラーを検出して、ＡＣＫ／ＮＡＣＫ情報を変調部１２７へ出力する。
【００３０】
通信品質検出部１２６は、ＯＦＤＭ復調部１２３から入力されたサブキャリア毎の受信変調信号に基づいて、受信変調信号の品質を測定し、基地局装置から移動局装置へのＤＬ（ダウンリンク）の通信品質情報（例えば、ＣＱＩの情報）を変調部１２７へ通知する。
送信対象となるデータ（送信データ）が変調部１１７に入力される。
変調部１２７は、通信品質検出部１２６から通知された通信品質情報、適応復調部１２４から入力されたＡＣＫ／ＮＡＣＫ情報、移動局装置から基地局装置へのＵＬ（アップリンク）の前記入力された送信データを一次変調して、サブキャリア毎の一次変調信号を生成してＯＦＤＭ変調部１２８へ出力する。
【００３１】
ＯＦＤＭ変調部１２８は、変調部１２７から入力されたサブキャリア毎の一次変調信号について、逆ＦＦＴにより周波数信号から時間軸信号への直交変換を行い、ベースバンド信号を生成してＲＦ部１２２へ出力する。
ＲＦ部１２２は、ＯＦＤＭ変調部１２８から入力された信号を無線周波数の信号へ変換して、アンテナ１２１へ出力する。この信号が、ＵＬで、アンテナ１２１から空間へ出力（無線送信）される。
【００３２】
次に、本例の基地局装置に相当する無線送受信装置１において行われる受信の動作の一例を示す。
移動局装置に相当する無線送受信装置１０２から無線送信されたＵＬの送信信号が、アンテナ１４により受信されて、ＲＦ部１３へ出力される。
ＲＦ部１３は、入力された受信信号をベースバンド信号へ変換して、ＯＦＤＭ復調部１５へ出力する。
ＯＦＤＭ復調部１５は、ＲＦ部１３から入力された信号について、ＦＦＴにより、データの復調及びＡＣＫ／ＮＡＣＫ情報の復調を行い、これにより得られた受信データを装置の外部へ出力するとともに（本例では、受信データ及び通信品質情報を）通信品質検出部１６へ出力し、また、これにより得られたＡＣＫ／ＮＡＣＫ情報を装置の外部へ出力するとともに高速／低速判定及びテーブル選択部１７とテーブル更新処理部１８へ出力する。
【００３３】
通信品質検出部１６は、ＯＦＤＭ復調部１５から入力された情報に基づいて、移動局装置により検出したＤＬの通信品質情報を検出して、高速／低速判定及びテーブル選択部１７、ＭＣＳ選択部２０、及びＭＡＰ生成部２１へ通知する。
ＭＣＳ選択部２０は、通信品質検出部１６から通知された通信品質情報をインデックス（例えば、ＣＱＩに相当するもの）として適応変調テーブル部１９の該当するＣＱＩ（又は、ＣＩＮＲ）値からＭＣＳを選択して、ＭＡＰ生成部２１を介して適応変調部１１へ通知する。
ここで、本例では、適応変調テーブル部１９が有する高速用の適応変調テーブル又は低速用の適応変調テーブルのうちで、選択された方のテーブルからＭＣＳが選択される。
【００３４】
ＭＡＰ生成部２１は、ダウンリンクのサブフレームへの送信データの割り付けを行う。具体的には、ＭＡＰ生成部２１は、通信品質検出部１６により検出された各移動局装置から受信されたＤＬの通信品質情報に基づいて、ＭＣＳ選択部２０により選択された各移動局装置のＭＣレベルに応じてバーストの変調処理を行う。
【００３５】
更に、続けて、本例における特徴点について詳しく説明する。
高速／低速判定及びテーブル選択部１７は、通信品質検出部１６から入力された情報に基づいて、フェージング速度の高速／低速情報（例えば、受信信号の変動の大／小による。）を取得して、フェージング速度が高速である場合に対応したテーブルを対象とするか或いは低速である場合に対応したテーブルを対象とするかを示す情報をテーブル更新処理部１８へ出力する。
テーブル更新処理部１８は、高速／低速判定及びテーブル選択部１７から入力された情報に基づいて、選択されたテーブル（高速用の適応変調テーブル或いは低速用の適応変調テーブル）を更新するように、適応変調テーブル部１９を制御する。
【００３６】
ここで、高速／低速判定及びテーブル選択部１７やテーブル更新処理部１８には、ＯＦＤＭ復調部１５からＡＣＫ／ＮＡＣＫ情報が入力され、例えば、ＡＣＫやＮＡＣＫの回数のカウント処理などを行うことができる。
適応変調テーブル部１９は、本例では、高速用の適応変調テーブルと、低速用の適応変調テーブルをメモリに記憶して格納している。各適応変調テーブルは、通信品質情報のインデックス（例えば、ＣＱＩや、ＣＩＮＲ）の値と、ＭＣＳ（例えば、変調方式と符号化率からなるＭＣレベル）との対応を記憶している。
【００３７】
本例では、通信品質情報としては、ＤＬ送信時にＭＣＳ選択で用いたＣＩＮＲ値、或いは、ＣＩＮＲ値を階層的に変換したＣＱＩ値を用いる。
また、ＡＣＫ／ＮＡＣＫ情報としては、上記したバースト送信の受信結果であるＡＣＫとＮＡＣＫの情報を用いる。
また、通信品質検出部１６からの情報に基づいて、フェージング速度の高速／低速情報が取得される。
【００３８】
図２には、高速用の適応変調テーブルの一例を示してある。
図３には、低速（本例では、通常）用の適応変調テーブルの一例を示してある。
それぞれの適応変調テーブルでは、インデックス（ｉｎｄｅｘ）と、Ｃ／Ｎ値と、ＭＣレベルである変調方式及び符号化率と、ＡＣＫ回数と、ＮＡＣＫ回数が対応付けられて格納されている。
本例では、上記した３種の情報の統計値を取ることが可能である。これを利用して、高速用と低速用とで２種類用意された適応変調テーブルについて、個別に統計値を取得して、適応変調テーブルを更新することが可能である。
【００３９】
図４を参照して、適応変調テーブルの更新処理の手順の一例を示す。
ここで、図４に示される処理は、ＡＣＫ／ＮＡＣＫのカウントアップの後に行われる。
まず、処理が開始されると（ステップＳ１）、入力情報の高速／低速判定により更新する適応変調テーブルを選択する。具体的には、高速／低速判定テーブル選択部１７により、ＣＩＮＲ（又は、ＣＱＩ）の差分を検出して（ステップＳ２）、その検出結果が低速である場合には更新対象テーブルを低速の適応変調テーブルとし（ステップＳ３）、その検出結果が高速である場合には更新対象テーブルを高速の適応変調テーブルとする（ステップＳ４）。
【００４０】
次に、テーブル更新処理部１８により、更新対象テーブルの対象とするＣ／Ｎについて、ＡＣＫとＮＡＣＫを合わせた回数（ＡＣＫの回数＋ＮＡＣＫの回数）が予め設定されたＮ回以上であるか否かを判定し（ステップＳ５）、Ｎ回未満であった場合には、この処理を終了する（ステップＳ１１）。
一方、カウントアップされたＤＬ通信のＣＩＮＲインデックス値に該当するＡＣＫ／ＮＡＣＫの総数（前記した回数）がＮ回以上となった場合には、以降の処理（ステップＳ６〜ステップＳ１１の処理）を行う。
【００４１】
ここで、所定値Ｎとしては、種々な数値が用いられてもよく、例えば、１００以上の設定値が用いられる。
また、例えば図２や図３に示されるように、ＣＩＮＲインデックス値は、ＣＩＮＲの範囲毎にインデックスを付けて適切なＭＣＳを割り当てるものである。
【００４２】
ＡＣＫ／ＮＡＣＫの総数（前記した回数）がＮ回以上となった場合には、テーブル更新処理部１８により、ＮＡＣＫの回数が所定のＭ１以下となるか否かを判定し（ステップＳ６）、ＮＡＣＫの回数がＭ１を超えた場合には、ステップＳ８の処理へ移行する。
ここで、Ｍ１としては、規定のＮＡＣＫの率に対応する値が設定される。
一方、ＮＡＣＫの回数が所定のＭ１以下であった場合（つまり、ＮＡＣＫの率が規定の率以下であった場合）には、本例ではブロックエラーが規定値以下であるとみなして、テーブル更新処理部１８により、更新対象テーブルとなっている適応変調テーブルにおいて、ＭＣレベルを全体的に１欄分上へ平行にシフトさせて（ステップＳ７）、ステップＳ８の処理へ移行する。つまり、エラー率が想定した値以下であるため、エラー率が上がっても同一のＣ／Ｎで送信データレートが上がる方向にずらす。
【００４３】
ステップＳ８の処理では、テーブル更新処理部１８により、ＮＡＣＫの回数が所定のＭ２以上となるか否かを判定し（ステップＳ８）、ＮＡＣＫの回数がＭ２未満であった場合には、ステップＳ１０の処理へ移行する。
ここで、Ｍ２としては、Ｍ１より大きい値が設定される（Ｍ２＞Ｍ１）。
【００４４】
一方、ＮＡＣＫの回数が所定のＭ２以上であった場合（つまり、ＮＡＣＫの率が規定の率以上であった場合）には、本例ではブロックエラーが規定値以上であるとみなして、テーブル更新処理部１８により、更新対象テーブルとなっている適応変調テーブルにおいて、ＭＣレベルを全体的に１欄分下へ平行にシフトさせて（ステップＳ９）、ステップＳ１０の処理へ移行する。つまり、エラー率が想定した値以上で高すぎるため、エラー率を下げるように適応変調テーブルのＭＣレベルを１欄分下に平行シフトする。
ステップＳ１０の処理では、テーブル更新処理部１８により、対象となっているＣＩＮＲインデックス（Ｃ／Ｎ）について、ＡＣＫの回数及びＮＡＣＫの回数を０にする（カウント値を０にクリアする）ことを行い（ステップＳ１０）、この処理を終了する（ステップＳ１１）。
【００４５】
ここで、適応変調テーブルのＭＣレベルを更新する手法としては、必ずしも本例のように平行にシフトするものに限定されず、種々な手法が用いられてもよく、要は、所望のエラー率に近付けるように更新することができればよい。
以上のテーブル更新処理により、ある程度のエラーを許容して、より送信データ量が増える変調方式を選択することができ、トータルとしてスループットを向上することができる。
【００４６】
なお、処理のフローにおいて、処理の内容が実質的に同様であれば、例えば、所定値以上であるか或いは所定値未満であるかを判定する処理は、所定値を超えるか或いは所定値以下であるかを判定する処理へ置き換えられてもよく、また、その逆の置き換えが為されてもよい。
【００４７】
図５（ａ）、（ｂ）を参照して、高速／低速判定及びテーブル選択処理の方法の例を２種類示す。
図５（ａ）を参照して、高速／低速判定及びテーブル選択部１７により行われる高速／低速判定及びテーブル選択処理の方法の一例を示す。
通信品質検出部１６により、フレーム単位又は適切な単位時間で、数フレームの読み出しが行われる（処理Ｔ１）。
ここで、基地局装置へは読み出しが行われている単位時間の間に全ての同一基地局装置への登録が完了した移動局装置から通信品質情報が得られるわけではなく、間欠的に通信品質情報が得られる場合がある。このため、通信品質検出部１６より入力した信号については、読み出し処理でフレーム単位又は適切な単位時間で数フレーム、又は後述する移動速度（差分）検出処理及び平均化処理で処理が可能なデータ量（例えば、検出しようとする移動速度、範囲等による。）を入力して、レベル検出処理により信号が連続しているか否かを判定し（処理Ｔ２）、不連続であれば適切な不連続時間において補間を行う（処理Ｔ３）。
【００４８】
上記において、信号が連続していた場合及び信号が不連続であったが補間した場合には、取得したデータの単位時間から適切な遅延時間を経たデータとの間で差分を移動速度（差分）検出処理により取得し（処理Ｔ４）、それについて平均化処理により平均化を行い（処理Ｔ５）、レベル判定処理により高速のテーブル又は低速のテーブルのいずれかを選択する（処理Ｔ６）。具体的には、平均化結果のレベルがある閾値以上である場合（又は、ある閾値を超える場合）には高速のテーブルを選択し、平均化結果のレベルがある閾値未満（又は、ある閾値以下）である場合には低速のテーブルを選択する。
【００４９】
図５（ｂ）を参照して、高速／低速判定及びテーブル選択部１７により行われる高速／低速判定及びテーブル選択処理の方法の他の一例を示す。
まず、読み出し処理（処理Ｔ１１）、レベル検出処理（処理Ｔ１２）、補間処理（処理Ｔ１３）については、図５（ａ）に示される処理Ｔ１、Ｔ２、Ｔ３と同様である。
【００５０】
上記において、信号が連続していた場合及び信号が不連続であったが補間した場合には、ＨＰＦ（Ｈｉｇｈ  Ｐａｓｓ  Ｆｉｌｔｅｒ）により高域成分を抽出する処理を行い（処理Ｔ１４）、それについて絶対値検出処理により絶対値を検出する処理を行う（処理Ｔ１５）。この絶対値（正）の信号についてＬＰＦ（Ｌｏｗ  Ｐａｓｓ  Ｆｉｌｔｅｒ）により平滑化する処理を行い（処理Ｔ１６）、そして、レベル判定処理により、高域（高速）成分を抽出し、この場合に、抽出したい高速に対して適切なＨＰＦのカットオフ周波数及びレベル判定の閾値を設けることで、高速／低速の判定が可能である（処理Ｔ１７）。具体的には、平滑化結果のレベルがある閾値以上である場合（又は、ある閾値を超える場合）には高速のテーブルを選択し、平滑化結果のレベルがある閾値未満（又は、ある閾値以下）である場合には低速のテーブルを選択する。
【００５１】
ここで、他の構成例として、ＨＰＦの代わりに、帯域ろ波フィルタ（ＢＰＦ：Ｂａｎｄ  Ｐａｓｓ  Ｆｉｌｔｅｒ）としても、或いは、ＢＰＦとＨＰＦの組み合わせとしても、更新テーブルを複数個所要の速度範囲別に検出することが可能である。この場合、フィルタの個数及び処理が大きくなるため、用途により処理方法を選択する必要がある。
また、図５（ａ）に示される処理方法１では、高速と低速の２種類の検出であれば、移動速度（差分）検出、平均化（例として一次のフィルタで良い）及びレベル判定の処理を行えばよいため、図５（ｂ）に示されるような処理方法２と比べて、処理を小さくすることが可能である。
【００５２】
また、本例では、ＤＬにおいてプリアンブル等に基づいて移動局装置が検出した通信品質情報（ＣＩＮＲ又はＣＱＩ）により、ＵＬで基地局装置が移動局装置から前記通信品質情報を受信してＤＬにおけるＭＣＳを決定しているため、例えば、基地局装置と移動局装置との複信方式が時分割多重（ＴＤＤ：Ｔｉｍｅ  Ｄｉｖｉｓｉｏｎ  Ｄｕｐｌｅｘｉｎｇ）であっても可能であり、或いは、周波数分割多重（ＦＤＤ：Ｆｒｅｑｕｅｎｃｙ  Ｄｉｖｉｓｉｏｎ  Ｄｕｐｌｅｘｉｎｇ）であっても可能である。また、多元接続方式としては、ＯＦＤＭに限られず、ＴＤＭＡ（Ｔｉｍｅ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）などのいずれを使用することもできる。
また、適用する通信システムによっては、基地局装置において通信品質情報として、ＣＩＮＲを使用しても実現可能であり、ＣＱＩを使用しても実現可能である。
【００５３】
以上のように、本例では、基地局装置１及び移動局装置１０２からなる無線伝送装置を有しており、伝送する無線信号がフレーム構成を持つデジタル変復調を使用する無線システムにおいて、伝搬路の状況に応じて適応的に変調方式を制御する適応変調方式を用いる無線伝送方式であって、次のような処理を行う。
すなわち、基地局装置１から移動局装置１０２への送信において移動局装置１０２で測定した通信品質（本例では、ＣＩＮＲ（信号対雑音＋干渉信号）又はＣＩＮＲに対応したＣＱＩ）を基地局装置１で受信して、変調方式と誤り訂正の符号化率の組み合わせ（ＭＣＳ）を選択する適応変調であって、当該適応変調の通信品質とＭＣＳとを対応させた複数の速度別の更新テーブルを設けて、基地局装置１から移動局装置１０２へ送信した場合における通信の成否（ＡＣＫ／ＮＡＣＫ）の情報を移動局装置１０２から基地局装置１へ送信し、送信時の通信品質と当該成否情報の統計値を取りその成否率を元に、通信品質の変動量により移動局装置１０２の速度を検出した結果（高速、低速等の速度の別）で、前記複数の速度別の更新テーブルを個別に選択して更新する。
【００５４】
このように、本例では、ＡＣＫ／ＮＡＣＫにより適応変調符号化（ＡＭＣ）のテーブルを補正（調整）するに際して、ＡＭＣのテーブルを各々ドップラー周波数の高速／低速（或いは、中速等）用に複数設けてドップラー周波数（高速／低速、或いは、中速等）を概略検出し、各々の場合に対応するＡＭＣテーブルを補正する。また、更に、ドップラー周波数の高速／低速（或いは、中速等）を検出することを、ＣＱＩの変化により求めている。
【００５５】
従って、本例では、移動局装置１０２の移動速度に対応して複数の適応変調テーブルを用意して、送信結果をＡＣＫ／ＮＡＣＫで把握することにより、設置された基地局装置１周辺の伝搬環境（移動速度）の変化に応じて、最適な適応変調テーブルに更新することにより、基地局装置単位のセル又はセクタ全体でのスループットを向上することができるといった利点がある。
【００５６】
なお、本例の基地局装置１（無線通信装置の一例）では、移動局装置１０２（通信相手となる装置の一例）との間で無線通信し、適応変調テーブル部１９により複数の速度のそれぞれについて図２や図３に示されるような適応変調テーブルを記憶する機能により対応記憶手段が構成されており、ＭＣＳ選択部２０やＭＡＰ生成部２１や適応変調部１１やＯＦＤＭ変調部１２やＲＦ部１３やアンテナ１４により適応変調方式により信号を無線送信する機能により送信手段が構成されており、アンテナ１４やＲＦ部１３やＯＦＤＭ復調部１５により無線信号を受信する機能により受信手段が構成されており、ＯＦＤＭ復調部１５によりＡＣＫ／ＮＡＣＫを検出する機能により受信成否検出手段が構成されており、テーブル更新処理部１８により図４に示されるように適応変調テーブルの内容を更新する機能により対応内容更新手段が構成されており、通信品質検出部１６により通信品質に関する情報を検出する機能により通信品質検出手段が構成されており、高速／低速判定及びテーブル選択部１７により図５（ａ）或いは図５（ｂ）に示されるように通信品質に関する情報の時間的な変化の度合いを検出する機能により通信品質変化検出手段が構成されており、高速／低速判定及びテーブル選択部１７により複数の速度の適応変調テーブルの中から更新対象とする適応変調テーブルを選択する機能により更新対象選択手段が構成されている。
【００５７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５８】
【図１】本発明の一実施例に係る適応変調送受信部の構成例を示す図である。
【図２】高速用の適応変調テーブルの一例を示す図である。
【図３】低速用の適応変調テーブルの一例を示す図である。
【図４】適応変調テーブルの更新処理の手順の一例を示すフローチャートの図である。
【図５】（ａ）及び（ｂ）は高速／低速判定及びテーブル選択処理の方法の例を示す図である。
【図６】従来例に係る適応変調送受信部の構成例を示す図である。
【符号の説明】
【００５９】
１、１０１・・基地局装置（無線送受信装置）、  １１、１１１・・適応変調部、  １２、１１２・・ＯＦＤＭ変調部、  １３、１１３・・ＲＦ部、  １４、１１４・・アンテナ、  １５、１１５・・ＯＦＤＭ復調部、  １６、１１６・・通信品質検出部、  １７・・高速／低速判定及びテーブル選択部、  １８・・テーブル更新処理部、  １９・・適応変調テーブル部、  ２０、１１８・・ＭＣＳ選択部、  ２１・・ＭＡＰ生成部、  １１７・・適応変調テーブル、  １０２・・移動局装置（無線送受信装置）、  １２１・・アンテナ、  １２２・・ＲＦ部、  １２３・・ＯＦＤＭ復調部、  １２４・・適応復調部、  １２５・・受信ＭＣＳ検出部、  １２６・・通信品質検出部、  １２７・・変調部、  １２８・・ＯＦＤＭ変調部、
【図１】
2010074365.tif 000003
【図２】
2010074365.tif 000004
【図３】
2010074365.tif 000005
【図４】
2010074365.tif 000006
【図５】
2010074365.tif 000007
【図６】
2010074365.tif 000008